(57)【要約】      （修正有）【課題】パスタ用のソースとしてバターやチーズを用いる調理方法や生卵の黄身と白味を別々に攪拌して黄身の攪拌物と白味の攪拌物を用いた調理方法を可能とする調理用混合容器を提供する。【解決手段】上部に開口部１１を備え、有底筒状に形成された本体１０と、開口部１１を開閉可能にかつ嵌合するように形成した蓋部２０とからなる。攪拌補助手段３０は、開口部１１の近傍に開口部１１と着脱可能に設けられ、貫通孔部３１は攪拌補助手段３０に一つ以上設けられる。開口部１１に攪拌補助手段３０を装着し蓋部開口部２１を嵌合することで、本体１０内部が第一混合領域Ｍ１として機能し、蓋部２０内部が第二混合領域Ｍ２として機能する。【選択図】図２
0003172474.tif 000002
【実用新案登録請求の範囲】
【請求項１】
食品を振動または／及び攪拌させて調味料や飲料に調理する容器であり上部に開口部を備え有底筒状に形成された本体とこの開口部を開閉可能になるように形成した蓋部で構成された調理容器において、前記本体開口部の近傍には攪拌補助手段が着脱可能に設けられ、前記攪拌補助手段には一つ以上の貫通孔部が設けられ、前記蓋部の内部には十分な攪拌空間を形成することで、前記本体内部が第一混合領域として前記蓋部内部が第二混合領域として機能することを特徴とする調理用混合容器。
【請求項２】
前記攪拌補助手段の全体の形状が回転放物形状に形成され、前記回転放物形状と前記貫通孔部が生卵の黄身と白身を分離できるように形成することを特徴とする請求項１に記載の調理用混合容器。
【請求項３】
前記攪拌補助手段の外周縁部分を前記蓋部の開口部と着脱可能になるように形成することで、前記蓋部内部を生卵の白身の保持手段として使用できることを特徴とする請求項１または請求項２に記載の調理用混合容器。
【請求項４】
前記本体の材質が電子レンジで加熱可能な素材で構成されていることを特徴とする請求項１に記載の調理用混合容器。
【請求項５】
前記本体の任意の部位に調味料や飲料の調理方法を表示することを特徴とする請求項１に記載の調理用混合容器。
【考案の詳細な説明】
【技術分野】
【０００１】  本考案は、食品を振動または／及び攪拌させて調味料や飲料を調理する容器であり上部に開口部を備え有底筒状に形成された本体とこの開口部を開閉可能になるように形成した蓋部で構成された調理容器に関するものである。
【背景技術】
【０００２】  従来から、液体食品やゲル状食品や固体食品や粉体食品を単体または任意に組合わせて振動または／及び攪拌させて調味料や飲料を調理する容器であり上部に開口部を備え有底筒状に形成された本体とこの開口部を開閉可能になるように形成した蓋部で構成された調理容器が知られていて、一般的にはシェーカーとかブレンダーという名称で知られている。また、これらのシェーカーとかブレンダーは、一般的には振り動かし（ｓｈａｋｉｎｇ）または混ぜ合わせ（ｂｌｅｎｄｉｎｇ）作業を促進させるための攪拌補助手段が用いられている場合が多い。  そこで、近年では上述した調理容器において上述した攪拌補助手段を用いた応用例が増えてきた。【０００３】  例えば、流動食品用シェーカーの提供を課題とする特許文献１の開発案件では、流動食品用シェーカーは可逆ブレンダーインサートを有し、このブレンダーインサートは、シェーカー容器の上方開放拡大口内に着座可能であり、解放可能にスナップ係止され、ブレンダーインサートの上に位置する注ぎ口体によって何れかの位置に保持され、組立体は上に位置するねじつきキャップによって閉じられ、ブレンダーインサートは、第１位置において注ぎ中大きなものを保持するためのフィルターを構成し、第２位置において注ぎ口体と共に拡大上方混合室を構成する、シェーカー及びブレンダーが知られている。  また例えば、攪拌後にすぐに使用でき、コンパクトに形成し、簡単に使用できて攪拌効率をよくする調味料容器の提供を課題とする特許文献２の開発案件では、調味料容器は、容器本体の上部に供給口を有し、さらにこの供給口を開閉可能な蓋部を有する調味料容器において、容器本体の内部には、自由に移動可能な攪拌体が設けられていることを特徴とし、分離液状ドレッシング等の液状調味料や胡椒等の粉状調味料を調味料容器に入れ、蓋部によって供給口を閉じた状態で容器本体を振ると、攪拌体が調味料中を移動し、攪拌が促進される調味料容器が知られている。  また例えば、生卵などの食材を安全に、楽しく卓上でも切断攪拌することができる生卵調理器具の提供を課題とする特許文献３の開発案件では、２又は複数個に分割可能な容器本体内側に、固定式又は、可動、取外し式の一枚乃至複数枚の切断用切断部からなり、生卵を割り入れ蓋をした後、シェーカーのように振ることにより切断部が黄身、白味を切断し均一な溶き卵を簡単に作ることを特徴とする生卵調理器具が知られている。
【先行技術文献】
【特許文献】
【０００４】
【特許文献１】特許第２８２６０９２号公報
【特許文献２】特開２００４−１６００４９号公開公報
【特許文献３】特開２００５−１５２６７６号公開公報
【考案の開示】
【考案が解決しようとする課題】
【０００５】  ところが、特許文献１のシェーカー及びブレンダーでは、攪拌補助手段として可逆ブレンダーインサートを有しているが、この可逆ブレンダーインサートをもってしても、例えば、近年消費者の間でニーズが高まっているパスタ用のソースの調理には十分ではないという指摘を受けている。例えば、パスタ用のソースとして、バターやチーズを用いるレシピの場合では、このシェーカー及びブレンダーではバターやチーズの撹拌には十分ではない、という指摘を受けている。【０００６】  また例えば、特許文献２の調味料容器では、攪拌補助手段として自由に移動可能な攪拌体を有しているが、この移動可能な攪拌体をもってしても、例えば、近年消費者の間でニーズが高まっているパスタ用のソースの調理には十分ではないという指摘を受けている。例えば、パスタ用のソースとして、バターやチーズを用いるレシピの場合では、この調味料容器ではバターやチーズの撹拌には十分ではない、という指摘を受けている。【０００７】  また例えば、特許文献３の生卵調理器具では、生卵の全卵をシェーカーのように攪拌して溶き卵を簡単に作ることを可能とするが、例えば、生卵の黄身と白味を別々にシェーカーのように攪拌して黄身の攪拌物と白味の攪拌物を別々に作りたいというニーズに対しては、この生卵調理器具では十分に対応できないという指摘を受けている。【０００８】  本考案は、上記の課題を解決するために成されたものであり、食品を振動または／及び攪拌させて調味料や飲料を調理する容器であり上部に開口部を備え有底筒状に形成された本体とこの開口部を開閉可能になるように形成した蓋部で構成された調理容器において、例えばパスタ用のソースとしてバターやチーズを用いる調理方法や例えば生卵の黄身と白味を別々に攪拌して黄身の攪拌物と白味の攪拌物を用いた調理方法を可能とする調理用混合容器の提供を目的とする。
【課題を解決するための手段】
【０００９】  課題を解決するための第一の手段（請求項１）は、食品を振動または／及び攪拌させて調味料や飲料に調理する容器であり上部に開口部を備え有底筒状に形成された本体とこの開口部を開閉可能になるように形成した蓋部で構成された調理容器において、前記本体開口部の近傍には攪拌補助手段が着脱可能に設けられ、前記攪拌補助手段には一つ以上の貫通孔部が設けられ、前記蓋部の内部には十分な攪拌空間を形成することで、前記本体内部が第一混合領域として前記蓋部内部が第二混合領域として機能することを特徴とする調理用混合容器を提供することである。【００１０】  課題を解決するための第一の手段で示した食品に関しては、人間が食べる物で、通常２種以上の栄養素を含み無毒のものとされる物であれば、何を用いても構わない。また、人が食用にする品物の総称であり、直接料理の材料としたり、そのまま食べたりすることができる食用の品であれば、何を用いても構わない。また前記食品に関しては、粉体、粒体、固体、半固体、液体、粘液体、ゲル状体、などが存在し一般的には単体で用いたり任意で組合わせて用いたりする。  課題を解決するための第一の手段で示した調味料に関しては、調味に使う材料であり、食物に味、香りなどを付与する材料であり、塩，味噌，醤油，砂糖，酢，うま味調味料，香辛料，などを示している。  課題を解決するための第一の手段で示した飲料に関しては、人が飲用にする飲み物の総称であり、一般的には、清涼飲料水、清涼飲料、ソフトドリンク、などを示している。また、清涼飲料、ソフトドリンク、などは、爽快感を有し、アルコールを含まない飲料、炭酸があるものとないものに大別される。【００１１】  課題を解決するための第一の手段で示した前記本体開口部の近傍には攪拌補助手段が着脱可能に設けられることに関しては、前記攪拌補助手段が前記本体開口部の近傍に装着され前記本体と前記蓋部が閉じられると前記攪拌補助手段は前記本体の内部と前記蓋部の内部を仕切るように作用し、前記攪拌補助手段が前記本体開口部から脱着され前記本体と前記蓋部が閉じられると前記本体の内部と前記蓋部の内部は一つの容器の内部として作用するのであれば、前記本体開口部の近傍に攪拌補助手段が着脱可能に設けられる手段に関しては、特に制限はなくどんな手段を用いても構わない。  課題を解決するための第一の手段で示した前記攪拌補助手段には一つ以上の貫通孔部が設けることに関しては、前記攪拌補助手段によって前記本体内部の第一混合領域と前記蓋部内部の第二混合領域が仕切られ、前記第一混合領域と前記第二混合領域の間を食品や調味料や飲料が交流できるようになっていれば前記貫通孔部の形状や数量は任意で構わないものとする。また前記貫通孔部の形成手段に関しても特に制限は設けないものとする。一般的に用いられている手段であれば何を用いても構わない。【００１２】  課題を解決するための第一の手段で示した前記蓋部の内部には十分な攪拌空間を形成することに関しては、食品や調味料や飲料が所定量収容できるようになっていれば任意で構わないが、少なくとも一つの生卵の白身の保持が可能である空間を形成することが好ましい。また、前記攪拌空間の形成手段に関しても特に制限は設けないも���とする。一般的に用いられている手段であれば何を用いても構わない。  課題を解決するための第一の手段で示した前記本体内部が第一混合領域として前記蓋部内部が第二混合領域として機能することに関しては、本考案の調理用混合容器が本考案で示した攪拌補助手段によって調理用混合容器の内部で少なくとも２つの混合領域が生じることが特徴であり、そのためには前記蓋部内部に十分な空間が形成されることが好ましく、その結果この第一混合領域と第二混合領域の間を食品や調味料や飲料が交流できるように形成させる。【００１３】  課題を解決するための第二の手段（請求項２）は、前記攪拌補助手段の全体の形状が回転方物形状に形成され、前記回転方物形状と前記貫通孔部が生卵の黄身と白身を分離できるように形成することを特徴とする課題を解決するための第一の手段に記載の調理用混合容器を提供することである。【００１４】  課題を解決するための第二の手段で示した前記攪拌補助手段の全体の形状が回転方物形状に形成されることに関しては、前記攪拌補助手段の全体の形状が回転方物形状またはそれに類似する形状に形成されるのであれば、その形成手段に関しては特に制限は設けないものとする。また回転方物形状またはそれに類似する形状に関しては、例えばパラボラアンテナに用いられているパラボラ形状、例えばキューポラ形状の屋根やキューポラ形状の天井に用いられているキューポラ形状、例えばドーム形状の屋根やドーム形状の天井に用いられているドーム形状、例えば外形が半球形状で内部に凹部を備えた形状、等が知られている。【００１５】  課題を解決するための第二の手段で示した前記回転方物形状と前記貫通孔部が生卵の黄身と白身を分離できるように形成することに関しては、前記回転方物形状には生卵を所定時間保持できるようになっていればよく、前記貫通孔部は前記回転方物形状に所定時間保持された生卵から白身が分離されるが黄身は前記回転方物形状に保持されるのであれば、その形状や数量には特に制限は設けないものとする。【００１６】  課題を解決するための第三の手段（請求項３）は、前記攪拌補助手段の外周縁部分を前記蓋部の開口部と着脱可能になるように形成することで、前記蓋部内部を生卵の白身の保持手段として使用できることを特徴とする課題を解決するための第一の手段または課題を解決するための第二の手段に記載の調理用混合容器を提供することである。【００１７】  課題を解決するための第三の手段で示した前記攪拌補助手段の外周縁部分を前記蓋部の開口部と着脱可能になるように形成することに関しては、前記外周縁部分を前記蓋部開口部と嵌合可能でさらに着脱可能になればどんな形状でもよく、その形成手段に関しては一般的に知られた手段を用いても構わない。  課題を解決するための第三の手段で示した前記蓋部内部を生卵の白身の保持手段として使用できることに関しては、本明細書で記載した攪拌補助手段は本来は本考案の調理用混合容器の中の食品の混合用に用いるものだが、課題を解決するための第二の手段で示した攪拌補助手段は生卵から白身を分離させ黄身だけ保持するようになっており、また課題を解決するための第一の手段で示した蓋部内部に十分な空間が形成され少なくとも前記攪拌補助手��によって生卵から分離された白身を収納する以上の空間が形成されることで、生卵の白身の保持手段として使用できることになるのである。【００１８】  課題を解決するための第四の手段（請求項４）は、前記本体の材質が電子レンジで加熱可能な素材で構成されていることを特徴とする課題を解決するための第一の手段に記載の調理用混合容器を提供することである。【００１９】  課題を解決するための第四の手段で示した前記本体の材質が電子レンジで加熱可能な素材で構成されていることに関しては、例えば高粘性食品であるバターやチーズを用いたパスタ用のソースの調理方法の一つとしてバターやチーズを加熱することで容易にパスタ用ソースを調理できるようになるので、食品を振動または／及び攪拌させて調味料や飲料を調理する容器にバターやチーズとその他のソース用食品を入れてから加熱してこの容器を振動または／及び攪拌させることで容易にパスタ用ソースを調理できるようになることを本考案の考案者は見出し、本考案に至った。そこで、本考案の調理用混合容器の本体の材質が耐熱性プラスチックである必要があり、具体的には耐熱温度が１００℃以上であることが好ましく、一般的な耐熱性プラスチックであれば何を用いても構わないが、例えば、下記の耐熱性プラスチックが使用可能である。なお、カッコ内は耐熱温度である。高密度ポリエチレン（９０〜１１０℃）、ポリプロピレン（１００〜１４０℃）、ポリ塩化ビニリデン（１３０〜１５０℃）、ポリカーボネート（１２０〜１３０℃）、ポリアミド（８０〜１４０℃）、ポリアセタール（８０〜１２０℃）、メラミン樹脂（１１０〜１３０℃）、不飽和ポリエステル樹脂（１３０〜１５０℃）、などが知られている。また、電子レンジに関しては、マイクロ波を利用して加熱する器具のことであり、家庭用でも業務用でも使用できるものとする。【００２０】  課題を解決するための第五の手段（請求項５）は、前記本体の任意の部位に調味料や飲料の調理方法を表示することを特徴とする課題を解決するための第一の手段に記載の調理用混合容器を提供することである。【００２１】  課題を解決するための第五の手段で示した前記本体の任意の部位に調味料や飲料の調理方法を表示することに関しては、前記調理方法に関する情報が前記本体の任意の部位に表示させることが出来ればどんな手段を用いても構わない。一般的に用いれている手段の一つとして、本考案の調理用混合容器の本体を成形するときに金型を用いる場合に前記調理方法に関する情報が前記本体の任意の部位に表示するように形成させることを選択してもよい。また前記情報は、文字、記号、図形、などを単独で用いてもよいし組合わせて用いてもよい。また、前記本体を本明細書で記載した耐熱性プラスチックで成形する場合、透明タイプまたは半透明タイプの素材を用いるのが好ましい。
【考案の効果】
【考案の効果】
【００２２】  本考案の調理用混合容器を提供できることで、例えば高粘性食品であるバターやチーズを用いた食品や調味料やパスタ用のソースの調理方法でも、プロではない一般的な消費者でも容易に調理することが可能になる。【００２３】  本考案の調理用混合容器を提供できることで、従来では一般的な消費者レベルでは攪拌や混合が難しい食品でも、例えば攪拌や混合が難しい食品として知られるヨーグルトを原料の一つとして振動または／及び攪拌させて調理する飲料や調味料の調理方法でも、一般的な消費者でも容易に調理することが可能になる。【００２４】  本考案で記載した攪拌補助手段の攪拌促進作用によれば次の効果を奏する。（１）全体の形状が回転方物形状またはそれに類似する形状に形成されているので本考案の調理用混合容器を振動または／及び攪拌させる場合に攪拌効率が向上する。（２）凹部位を本考案の調理用混合容器の蓋部の凹部位と対向させるようにして攪拌補助手段を本体に装着した後に本考案の調理用混合容器を振動または／及び攪拌させる場合に攪拌効率が向上する。（３）凹部位を本考案の調理用混合容器の蓋部の凹部位と対向させるようにして攪拌補助手段を本体に装着することで、前記蓋部内部が第二混合領域として十分な撹拌空間を得ることができるので、前記本体内部の第一混合領域との間の本明細書で示した食品の混合を十分に行なうことができる。（４）上述した効果に加えて、上述した機能を備えた攪拌補助手段が生卵を白身と黄身に分離する手段にもなることの利用価値は大きい。（５）言い換えると、生卵を白身と黄身に分離する手段を備えた攪拌補助手段を本考案の調理用混合容器の第一混合領域と第二混合領域の分離手段として利用できることでプロの料理人ではない一般的な消費者でも本明細書で示した食品の高度な撹拌作業を行なうことができる。【００２５】  上述した効果を補足すると、プロの料理人ではない一般的な消費者でも本考案の調理用混合容器を用いることで、従来なら高度な技術を必要とされる、各種ソース作り、分離液状ドレッシング等の液状調味料作り、比較的非粘性の液体と比較的粘性の液体を混合した液状調味料作り、手動でのヨーグルト飲料作り、手動での生卵飲料作り、粉体食品と液体を用いた生地作り、油性食品と水溶性食品混合した液状調味料作り、を容易に成しうることができる。【００２６】
【考案を実施するための最良の形態】
【００２７】  以下、本考案である調理用混合容器の実施の形態について、図１〜図５に基づいて説明する。  図１は本考案の調理用混合容器の全体を説明する斜視図であり、図２は本考案の調理用混合容器の構成を説明する分解図であり、図３は本考案の調理用混合容器の蓋部と攪拌補助手段との関係を説明する斜視図であり、図４は本考案の調理用混合容器の蓋部と攪拌補助手段を使用状況を説明する斜視図であり、図５は本考案の調理用混合容器の応用例を説明する分解図である。
【実施例１】
【００２８】  図１と図２を用いて課題を解決するための第一の手段及び請求項１の概略の実施例を説明する。  まず、１０は本明細書で示した食品を振動または／及び攪拌させて調味料や飲料に調理する容器であり上部に開口部を備え有底筒状に形成された本体であり、１１は本体１０の開口部であり、１２は本体開口部１１に対向する位置に設けられる底部であり、１３は後述する攪拌補助手段を着脱可能にかつ密着または嵌合するように形成する本体開口部１１の外周部の近傍に設けられる開口部周縁部である。  また、２０は本体開口部１１を開閉可能または着脱可能にかつ密着または嵌合するように形成した蓋部であり、２１は蓋部２０の開口部であり、本体開口部１１と蓋部開口部２１が開閉可能または着脱可能にかつ密着または嵌合するように形成される手段に関しては特に制限はなくどんな手段でも構わない。２２は蓋部開口部２１に対向する位置に設けられる頭頂部であり、２３は蓋部開口部２１から頭頂部２２までかつ蓋部２０の内部に形成され本明細書で示した食品を振動または／及び攪拌させて調味料や飲料に調理するための攪拌空間である。２４は蓋部開口部２１の近傍に設けられ蓋部２０を本体開口部１１に対して開閉作業を補助する開閉片または着脱作業を補助する着脱片である開閉・着脱片である。  また、３０は本体開口部１１の近傍に本体開口部１１と着脱可能に設けられる攪拌補助手段であり、３１は攪拌補助手段３０の任意の部位の表面部と裏面部を貫通するようにかつ一つ以上設けられる孔部であり、３２は攪拌補助手段３０の外周部分でかつその近傍の縁部分である。  また、本体開口部１１に攪拌補助手段３０を装着し蓋部開口部２１を嵌合することで、本考案の調理用混合容器Ｓを構成し、調理用混合容器Ｓは本体底部１２から攪拌補助手段３０までの内部空間が本明細書で示した食品を振動または／及び攪拌させて調味料や飲料に調理するための第一混合領域Ｍ１として機能し、攪拌空間２３が第二混合領域Ｍ２として機能することを特徴とする。  また、本体開口部１１と蓋部開口部２１を密着または嵌合するように形成することに関しては、第一混合領域Ｍ１または第二混合領域Ｍ２またはその両方の内容物が零れないように形成できればどんな手段を用いても構わない。また、本体開口部１１の近傍の開口部周縁部１３には外周縁部分３２を着脱可能にかつ密着または嵌合するように形成させるものとする。【００２９】  また図１と図２と図５を用いて課題を解決するための第一の手段及び請求項１の詳細の実施例を説明する。  まず、開口部周縁部１３に外周縁部分３２を嵌合することで攪拌補助手段３０は装着され、次に蓋部開口部２１が開口部周縁部１３と周縁部３２を押圧しながら嵌合することで、本体開口部１１は蓋部開口部２１によって嵌合されると、攪拌補助手段３０を介して第一混合領域Ｍ１と第二混合領域Ｍ２が生じるように作用し、攪拌補助手段３０が外周縁部分３２を介して本体開口部１１から脱着され本体開口部１１が蓋部開口部２１によって閉じられると第一混合領域Ｍ１と第二混合領域Ｍ２が組み合わされた混合領域Ｍ１＋Ｍ２が生じ拡大混合領域として作用するのであれば、開口部周縁部１３に外周縁部分３２が着脱可能に設けられる手段に��しては、特に制限はなくどんな手段を用いても構わない。  また、攪拌補助手段３０の任意部位に貫通孔部３１が一つ以上設けることに関しては、攪拌補助手段３０によって第一混合領域Ｍ１と第二混合領域Ｍ２が仕切られ、貫通孔部３１を介して第一混合領域Ｍ１と第二混合領域Ｍ２の間を本明細書で示した食品や調味料や飲料が交流できるようになっていれば貫通孔部３１の形状や数量は任意で構わないものとする。また貫通孔部３１の形成手段に関しても特に制限は設けないものとし一般的に知られ用いられている技術的方法であれば何を用いても構わない。  また、攪拌空間２３または第二混合領域Ｍ２の十分な攪拌空間を形成することに関しては、本明細書で示した食品や調味料や飲料が所定量を収容できるようになっていれば任意で構わないが、少なくとも一つの生卵の白身の保持が可能である空間を形成することが好ましい。また、攪拌空間２３または第二混合領域Ｍ２の形成手段に関しても特に制限は設けないものとし一般的に知られ用いられている技術的方法であれば何を用いても構わない。
【実施例２】
【００３０】  次に、図２から図５を用いて課題を解決するための第二の手段及び請求項２の詳細の実施例を説明する。  まず３３は攪拌補助手段３０の一端の形状が回転方物形状に見えるように形成された凸部であり、３４は凸部３３に対向し攪拌補助手段３０の他端の形状が凸部３３と一対になるよう凹状に形成した凹部である。また、凸部３３と凹部３４の形状が、例えば半球形状の場合でも、例えばパラボラ形状の場合でも、例えばキューポラ形状の場合でも、例えばドーム形状の場合でも、構わない。  また、凸部３３と凹部３４と貫通孔部３１を設計するに当たっては、少なくとも一つの生卵の黄身と白身を分離できるように形成させるものとする。すなわち、図４に示すように、凹部３４に一つの生卵Ｅ（図示せず）を載置すると黄身Ｅ１と白身Ｅ２に分離されるようになっていれば貫通孔部３１の形状や寸法や数量には特に制限は設けないものとする。また凸部３３と凹部３４と貫通孔部３１の形成手段に関しては、特に制限は設けないものとし一般的に知られ用いられている技術的方法であれば何を用いても構わない。
【実施例３】
【００３１】  次に図３と図４を用いて課題を解決するための第三の手段（請求項３）の詳細の実施例を説明する。  まず上述した調理用混合容器Ｓの実施例は本明細書で示した食品を振動または／及び攪拌させて調味料や飲料に調理するための容器として用いる場合であり、この場合では図２に示す通り、外周縁部分３２は凸部３３が本体開口部１１の方向に、凹部３４が蓋部開口部２１の方向になるように開口部周縁部１３と着脱可能に嵌合するように形成され、この実施例では図３に示す通り、蓋部開口部２１の近傍に外周縁部分３２を凸部３３が頭頂部２２の方向に、凹部３４が蓋部開口部２１の方向に、着脱可能に嵌合するように蓋部開口部２１の外周部分の近傍に蓋部周縁部２５を形成させることで、攪拌補助手段３０を攪拌空間２３または第二混合領域Ｍ２に着脱可能に装着することが可能になり、例えば凹部３４に一つの生卵Ｅ（図示せず）を載置し黄身Ｅ１と白身Ｅ２に分離されたときに攪拌空間２３または第二混合領域Ｍ２を白身Ｅ２の保持手段として使用できることを特徴とする。また外周縁部分３２と蓋部周縁部２５を着脱可能になるように形成することに関しては、嵌合可能でさらに着脱可能になればどんな形状でもよく、特に制限は設けないものとし一般的に知られ用いられている技術的方法であれば何を用いても構わない。
【実施例４】
【００３２】  次に図１と図２と図５を用いて課題を解決するための第四の手段（請求項４）の詳細の実施例を説明する。  本体１０の材質が電子レンジで加熱可能な素材で構成されていることを特徴とし、具体的には下記の耐熱性プラスチックが使用可能であるが、一般的な耐熱性プラスチックであれば何を用いても構わない。また本体１０の材質は透明タイプまたは半透明タイプの耐熱性プラスチックであることが好ましい。なお、カッコ内は耐熱温度である。高密度ポリエチレン（９０〜１１０℃）、ポリプロピレン（１００〜１４０℃）、ポリ塩化ビニリデン（１３０〜１５０℃）、ポリカーボネート（１２０〜１３０℃）、ポリアミド（８０〜１４０℃）、ポリアセタール（８０〜１２０℃）、メラミン樹脂（１１０〜１３０℃）、不飽和ポリエステル樹脂（１３０〜１５０℃）、などが知られている。
【実施例５】
【００３３】  次に図２と図５を用いて課題を解決するための第五の手段（請求項５）の詳細の実施例を説明する。まず、１４ａは本体１０の任意の部位に示した調味料の調理方法であり、調理方法１４ａは図２と図５の実施例では「カルボナーラ」であり、カルボナーラの材料である生クリームとパルメザンチーズの分量が示されている。次に、１４ｂは本体１０の任意の部位に示した飲料の調理方法であり、調理方法１４ｂは図５の実施例では「ラッシー」であり、ラッシーの材料であるヨーグルトと牛乳の分量が示されている。また、図２と図５の実施例では調理方法１４ａで示された材料の分量の表示に合わせて計量された位置に表記されていてもよい。また、図５の実施例では調理方法１４ｂで示された材料の分量の表示に合わせて計量された位置に表記されていてもよい。また、調理方法１４ａは本体１０の外面または内面または両面に表記されていてもよい。また、調理方法１４ｂは本体１０の外面または内面または両面に表記されていてもよい。
【実施例６】
【００３４】  次に図５を用いて図１から図４に示した蓋部２０の応用例を説明する。２０ａは蓋部２０の内容量を増大させ本体開口部１１を開閉可能または着脱可能にかつ密着または嵌合するように形成した蓋部であり、２１ａは蓋部２０ａの開口部であり、本体開口部１１と蓋部開口部２１ａが開閉可能または着脱可能にかつ密着または嵌合するように形成される手段に関しては特に制限はなくどんな手段でも構わない。２２ａは蓋部開口部２１ａに対向する位置に設けられる頭頂部であり、２３ａは蓋部開口部２１ａから頭頂部２２ａまでかつ蓋部２０ａの内部に形成され本明細書で示した食品を振動または／及び攪拌させて調味料や飲料に調理するための攪拌空間であり、蓋部２０の内容量よりも増大させるように形成させるため比較的面長に形成させる。したがって、第二混合領域Ｍ２よりも攪拌空間を増大させた第二混合領域Ｍ２ａも生じることになり、本考案の調理用混合容器Ｓの撹拌・混合能力も向上することになる。【００３５】
【００３６】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００３７】  本考案の調理用混合容器は手動でも十分な調理能力を備えているので従来なら電動式を用いた場合でも手動で対応できるので産業上の利用可能性が高い。
【図面の簡単な説明】
【００３８】
【図１】本考案の調理用混合容器の全体を説明する斜視図である。
【図２】本考案の調理用混合容器の構成を説明する分解図である。
【図３】本考案の調理用混合容器の蓋部と攪拌補助手段との関係を説明する斜視図である。
【図４】本考案の調理用混合容器の蓋部と攪拌補助手段を使用状況を説明する斜視図である。
【図５】本考案の調理用混合容器の応用例を説明する分解図である。
【符号の説明】
【００３９】Ｓ：調理用混合容器    Ｍ１：第一混合領域    Ｍ２：第二混合領域Ｍ２ａ：第二混合領域    Ｅ１：黄身    Ｅ２：白身１０：本体    １１：本体開口部    １２：本体底部１３：開口部周縁部    １４ａ：調理方法    １４ｂ：調理方法２０：蓋部    ２０ａ：蓋部    ２１：蓋部開口部    ２１ａ：蓋部開口部２２：頭頂部    ２２ａ：頭頂部    ２３：攪拌空間    ２３ａ：攪拌空間２４：開閉・着脱片    ２５：蓋部周縁部    ３０：攪拌補助手段３１：貫通孔部    ３２：外周縁部分    ３３：凸部    ３４：凹部
【図１】
0003172474.tif 000003
【図２】
0003172474.tif 000004
【図３】
0003172474.tif 000005
【図４】
0003172474.tif 000006
【図５】
0003172474.tif 000007